(57)【要約】【課題】正極、負極をはっきり判別でき、人為的ミスを防止し、人体に安全である電池の正負極判別電池蓋構造を提供する。【解決手段】導電端子箇所の近くに判別部品を固定する。その判別部品は、異なる色、もしくは異なる警告色、もしくは形態によって正、負極の導電端子を判別させることを最も主要な特徴とする。電池の正負極判別電池蓋構造は、次の利点がある。操作が簡単で複雑な手続きなしに完成する。視覚上の盲点が発生しないので、容易に判断できる。人的ミスによる危険を防止する。射出成形であるため、安全で、且つ衛生的で環境にも優しい。【選択図】図１
0003121022.tif 000002
【実用新案登録請求の範囲】
【請求項１】
導電端子付近に判別部品が固定される電池の正負極判別電池蓋構造において、
正、負極の識別部品は、異なる色の絶縁プラスチック材を射出方式で電池蓋に固定することにより設けられることを特徴とする電池の正負極判別電池蓋構造。
【請求項２】
導電端子付近に判別部品が固定される電池の正負極判別電池蓋構造において、
正、負極の識別部品は、異なる色及び形態の絶縁プラスチック材を射出方式で電池蓋に固定することにより設けられることを特徴とする電池の正負極判別電池蓋構造。
【考案の詳細な説明】
【技術分野】
【０００１】
本考案は、電池の正負極判別電池蓋構造に関するもので、特に導電端子箇所に射出成形で絶縁材の判別部品を設置し、その判別部品は異なる警告色もしくは形態を具え、更に正負電導端子を判別するものである正負極判別電池蓋構造に関する。
【背景技術】
【０００２】
公知の動力交通道具の蓄電池種は、水を加えるか、加えない（密閉式）かに係わらず、電池蓋上には正極（陽極）もしくは負極(陰極)の導電端子が設置される。図４は一公知例を示す図で、この例では電池蓋Ａに一組の導電端子Ｂを設置し、且つ導電線Ｃには赤色及び黒色の絶縁カバーＣ１が設置され、電池蓋Ａの導電端子Ｂ上に連接する。しかし、蓄電池を交換する時、連接する赤色の導電線が正極なのか、負極なのか正確に判別できなかったり、連接する黒色導電線Ｃが正極か負極か判別できなかったりすると、人為的ミスが発生して電池が爆発してしまうおそれがある。
【０００３】
図５は、第二公知例を示す模式図であるが、この例では電池蓋Ａに一組の導電端子Ｂを設置し、その導電端子Ｂ周辺縁には正、負極の符号Ｄが凸設されている。しかし、埃や電解液によって汚れて見えなくなりやすく、やはり導電端子Ｂはどちらが正極で、どちらが負極なのか、判別できなくなりやすい。
この他、公知に電池蓋に一組の導電端子が設置されているものがある。導電端子周辺縁には凹槽が成形され、凹槽内に異なる色の顔料が入っている。その顔料によって正負極を判別するのであるが、この種の顔料は成分的に劇薬であり、且つ回収して再利用できないため、環境汚染を引き起こし、環境生態に影響を与えている。つまり、環境に悪く、長期間製造すると、人体にも影響を及ぼし、更にこの色顔料と導電端子を結合する場合、密着度が非常に悪く、脱落しやすく、判断できなくなるおそれがある。
【考案の開示】
【考案が解決しようとする課題】
【０００４】
本考案が解決しようとする問題点は次のとおりである。すなわち、一般的に大部分の使用者は赤色導電線を正極に設置するのか、負極に設置するのか、わからないため、人為的ミスを起こしやすく、危険である点である。また、使用上、人体に危険な成分が使用される点である。
【課題を解決するための手段】
【０００５】
本考案では、導電端子箇所の近くに判別部品を固定する。その判別部品は、異なる色、もしくは異なる警告色、もしくは形態によって正、負極の導電端子を判別させることを最も主要な特徴とする。
本考案の電池の正負極判別電池蓋構造は、下述の利点がある。
操作が簡単で複雑な手続きなしに完成する。
視覚上の盲点が発生しないので、容易に判断できる。
人的ミスによる危険を防止する。
射出成形であるため、安全で、且つ衛生的で環境にも優しい。
【考案を実施するための最良の形態】
【０００６】
（実施例１）
先ず、図１に示すとおり、導電端子組１に絶縁プラスチック材２を設置し、金型内に導電端子組１を嵌入し、近くの導電端子組１箇所に異なる色の嵌入部品を嵌める。更に絶縁プラスチック材２を一体射出成形し、電池蓋にして導電端子組１の正、負極を簡易に判別する。そのうち、導電端子組１は第一導電端子１１と第二導電端子１２を含む。第一導電端子１１と第二導電端子１２の色嵌入部品としては、第一導電端子１１の正極に赤色の警告色３´を嵌入し、第二導電端子１２の負極には黒色警告色３を嵌入する。
【０００７】
使用時、図２に示すとおり、電池蓋組を蓄電池体上に被せ、蓄電池を形成する。使用者は導電端子組１に嵌入された警告色３´及び３によってどれが第一導電端子１１で、どれが第二導電端子１２の正負極か判断する。警告色３´が赤色の場合、使用者に第一導電端子１１が正極で、出力電流は高電圧で、赤色電源線に連結することを知らせ、操作時にミスをしないようにさせる。また、警告色３が黒色の場合、第二導電端子１２が負極であり、出力電流は低電圧で、黒色電源線に連結することを知らせる。上述の異なる色により、使用者は簡単に判別でき、人為的ミスを減らし、操作ミスによる不必要な電池爆発、火災を防止することができる。使用者が導電端子を連結しても、嵌入した色は永久に消えない。
【０００８】
（実施例２）
本考案の別の実施例として、図３に示すとおり、導電端子組１Ａ箇所に絶縁プラスチック材２Ａを嵌合し、射出成形した金型内に異なる形態の導電端子組１Ａを嵌入する。導電端子組１Ａ付近に異なる色を嵌入し、導電端子組１Ａの正負極を判別し、一体に固定する。第一導電端子１１Ａに正極形態の赤色の警告色３Ａ´を嵌入し、第二導電端子１２Ａに負極形態の黒色の警告色３Ａを嵌入する。使用者は電池蓋に嵌入設置された導電端子組１Ａの形態によって第一導電端子１１Ａ及び第二導電端子１２Ａの正負極を判別する。この他、導電端子組１Ａに嵌入した異なる警告色によってどれが正で、どれが負かを容易に判別し、視覚ミスを防ぎ、環境に光線が不足していてもミスを防ぐことができる。
【０００９】
警告色３Ａ´が赤色の時、使用者に第一導電端子１１Ａは正極であり、出力電流は高電圧で、赤色電源線と連結することを知らせ、操作ミスを防ぐ。また警告色３Ａが黒色の時、使用者に第二導電端子１２Ａが負極であり、出力電流は低電圧で、黒色電源線と連結することを知らせる。上述の異なる色により、使用者の判断を容易にし、不必要な電池爆発や火災を防止する。また使用者が導電端子組と連結した時も、嵌入色は永久に消えない。
【図面の簡単な説明】
【００１０】
【図１】本考案の実施例１による電池の正負極判別電池蓋構造を示す斜視図である。
【図２】本考案の実施例１による電池の正負極判別電池蓋構造を示す組立図である。
【図３】本考案の実施例２による電池の正負極判別電池蓋構造を示す斜視図である。
【図４】第一公知例の電池蓋を示す模式図である。
【図５】第二公知例の電池蓋を示す模式図である。
【符号の説明】
【００１１】
１  導電端子組、１Ａ  導電端子組、２  絶縁プラスチック材、２Ａ  絶縁プラスチック材、３  警告色、３Ａ  警告色、３´  警告色、３Ａ´  警告色、１１  第一導電端子、１１Ａ  第一導電端子、１２  第二導電端子、１２Ａ  第二導電端子、Ａ  電池蓋、Ｂ  導電端子、Ｃ  導電線、Ｃ１  絶縁カバー、Ｄ  符号
【図１】
0003121022.tif 000003
【図２】
0003121022.tif 000004
【図３】
0003121022.tif 000005
【図４】
0003121022.tif 000006
【図５】
0003121022.tif 000007